(57)【要約】【課題】  通信状況を通知するためにＬＡＮコントローラによって点灯制御されるときは省電力となるようにＬＥＤの明るさを抑え、情報処理装置の起動状況を通知するためにＣＰＵによって点灯制御されるときは目立つようにＬＥＤを明るくしたい。【解決手段】  ＬＡＮコントローラによって点灯制御されるときよりもＣＰＵによって点灯制御されるときの方がＬＥＤが明るくなるようにする。【選択図】  図３
2020159718.tif 000002
【特許請求の範囲】
【請求項１】
情報処理装置であって、
発光手段と、
外部装置と通信を行い、当該外部装置との通信状況に応じて前記発光手段を点灯および消灯する通信手段と、
前記情報処理装置の起動状況に応じて前記発光手段を点灯および消灯する制御手段と、
を有し、
前記通信手段によって前記発光手段が点灯するときの明るさよりも、前記制御手段によって前記発光手段が点灯するときの明るさの方が明るいことを特徴とする情報処理装置。
【請求項２】
前記通信手段によって前記発光手段が点灯するときに前記発光手段に流れる電流値よりも、前記制御手段によって前記発光手段が点灯するときに前記発光手段に流れる電流値の方が大きいことを特徴とする請求項１に記載の情報処理装置。
【請求項３】
前記通信手段によって前記発光手段が点灯するときに前記発光手段に流れる電流が流れる第１の抵抗と、
前記制御手段によって前記発光手段が点灯するときに前記発光手段に流れる電流が流れる第２の抵抗と、
を有し、
前記第１の抵抗の抵抗値よりも、前記第２の抵抗の抵抗値の方が小さいことを特徴とする請求項２に記載の情報処理装置。
【請求項４】
前記発光手段に電流を流すか否かを制御する第１の制御信号が入力され、当該入力された第１の制御信号に基づいて前記発光手段に電流を流す第１のスイッチと、
前記発光手段に電流を流すか否かを制御する第２の制御信号が入力され、当該入力された第２の制御信号に基づいて前記発光手段に電流を流す第２のスイッチと、
を有し、
前記通信手段は前記第１の制御信号を出力し、前記制御手段は前記第２の制御信号を出力し、
前記通信手段および前記制御手段の何れかが前記発光手段に電流を流す制御信号を出力すると前記発光手段が点灯し、
前記第１のスイッチは、前記通信手段が出力する前記発光手段に電流を流す前記第１の制御信号に基づいて、前記第１の抵抗および前記発光手段に電流を流し、
前記第２のスイッチは、前記制御手段が出力する前記発光手段に電流を流す前記第２の制御信号に基づいて、前記第２の抵抗および前記発光手段に電流を流すことを特徴とする請求項３に記載の情報処理装置。
【請求項５】
電圧を供給する供給手段を有し、
前記供給手段は、供給する電圧の大きさを、前記通信手段によって前記発光手段が点灯するときよりも、前記制御手段によって前記発光手段が点灯するときの方が大きくなるようにすることを特徴とする請求項２に記載の情報処理装置。
【請求項６】
前記制御手段は、前記供給手段に所定の制御信号を出力して、前記供給手段によって供給される電圧の大きさが、前記通信手段によって前記発光手段が点灯するときよりも、前記制御手段によって前記発光手段が点灯するときの方が大きくなるようにすることを特徴とする請求項５に記載の情報処理装置。
【請求項７】
前記情報処理装置の起動状況は、前記情報処理装置の電源スイッチがオンされると実行される前記情報処理装置の起動処理の進捗状況であることを特徴とする請求項１に記載の情報処理装置。
【請求項８】
前記制御手段は、プログラムを実行し、かつ、当該プログラムの実行状況に応じて前記発光手段を点灯および消灯することを特徴とする請求項１に記載の情報処理装置。
【請求項９】
前記制御手段によって実行される前記プログラムは、前記制御手段に電力が供給されてから一連の処理を行い、かつ、当該一連の処理の進捗状況に応じて前記発光手段を点灯および消灯することを特徴とする請求項８に記載の情報処理装置。
【請求項１０】
前記制御手段は、他のデバイスと通信するために用いられる入出力ポートを複数備え、
前記一連の処理は、入出力ポートの設定処理を含むことを特徴とする請求項８に記載の情報処理装置。
【請求項１１】
情報を表示する表示部を有し、
前記一連の処理は、電力が前記表示部に供給されるようにする処理を含むことを特徴とする請求項９に記載の情報処理装置。
【請求項１２】
前記一連の処理は、情報が前記表示部に表示されるようにする処理を含むことを特徴とする請求項１１に記載の情報処理装置。
【請求項１３】
前記一連の処理は、前記通信手段が前記外部装置と通信できるよう、前記通信手段を設定する処理を含むことを特徴とする請求項９に記載の情報処理装置。
【請求項１４】
前記一連の処理は、前記通信手段が前記発光手段の点灯および消灯を制御できるよう、前記通信手段を設定する処理を含むことを特徴とする請求項９に記載の情報処理装置。
【請求項１５】
前記プログラムは、当該プログラムにしたがって前記制御手段が所定の処理を実行するまで、前記制御手段に前記発光手段を点灯および消灯させ、前記所定の処理を実行した後、前記通信手段が前記発光手段を点灯および消灯できるように前記通信手段を設定することを特徴とする請求項８に記載の情報処理装置。
【請求項１６】
前記所定の処理は、前記情報処理装置が備える表示部の起動が完了したことを示す信号を当該表示部から受信する処理であることを特徴とする請求項１５に記載の情報処理装置。
【請求項１７】
前記制御手段は、ＣＰＵであることを特徴とする請求項１に記載の情報処理装置。
【請求項１８】
前記通信手段は、ＬＡＮコントローラであることを特徴とする請求項１に記載の情報処理装置。
【請求項１９】
前記通信手段と前記外部装置とが互いに通信するための通信ケーブルが接続されるコネクタを有し、
前記発光手段は、前記コネクタに設けられていることを特徴とする請求項１に記載の情報処理装置。
【請求項２０】
前記発光手段は、２つのＬＥＤであることを特徴とする請求項１に記載の情報処理装置。
【請求項２１】
発光手段を有する情報処理装置の制御方法であって、
前記情報処理装置の起動処理の進捗状況に応じて前記発光手段を点灯および消灯する第１の制御工程と、
外部装置と通信を行う通信工程と、
前記通信工程における前記外部装置との通信状況に応じて前記発光手段を点灯および消灯する第２の制御工程と、
を有し、
前記第２の制御工程において前記発光手段が点灯するときの明るさよりも、前記第１の制御工程において前記発光手段が点灯するときの明るさの方が明るいことを特徴とする情報処理装置の制御方法。
【発明の詳細な説明】
【技術分野】
【０００１】
本発明は、発光手段の点灯および消灯を制御する技術に関する。
【背景技術】
【０００２】
従来、パーソナルコンピューターや複写機等の情報処理装置は、当該装置の異常をユーザーやサービスマンに通知する。この通知により、ユーザーが装置の正しい復旧処理を行えたり、サービスマンが装置を修復するために必要な部品を特定したりすることが可能になる。
【０００３】
特許文献１には、ＬＡＮコントローラによって点灯および消灯の制御が行われるＬＥＤを、電源回路によって生成された各システム電圧の立ち上がりを監視する電圧監視回路が点灯および消灯することで、システム電圧の異常を通知するシステムが開示される。
【先行技術文献】
【特許文献】
【０００４】
【特許文献１】特開２０１５−１０８５９３号公報
【発明の概要】
【発明が解決しようとする課題】
【０００５】
しかしながら特許文献１では、ＬＡＮコントローラによって点灯制御が行われるときも、電圧監視回路によって点灯制御が行われるときも、ＬＥＤの明るさは変わらない。
【課題を解決するための手段】
【０００６】
本発明の情報処理装置は、発光手段と、外部装置と通信を行い、当該外部装置との通信状況に応じて前記発光手段を点灯および消灯する通信手段と、前記情報処理装置の起動状況に応じて前記発光手段を点灯および消灯する制御手段と、を有し、前記通信手段によって前記発光手段が点灯するときの明るさよりも、前記制御手段によって前記発光手段が点灯するときの明るさの方が明るいことを特徴とする。
【発明の効果】
【０００７】
通信状況に応じて点灯するときよりも起動状況に応じて点灯するときの方が発光手段の明るさが明るくなる。
【図面の簡単な説明】
【０００８】
【図１】表示装置全体の概略図
【図２】第１の実施形態の表示装置のハードウェア構成の一例を示すブロック図
【図３】ＬＥＤ駆動回路２０７及びＬＡＮ用ＬＥＤ駆動回路２０８の電気回路構成を示す図
【図４】第１の実施形態の制御フローを示す図
【図５】ＬＥＤ１３２、ＬＥＤ１３３の点灯パターンを示す図
【図６】第２の実施形態の表示装置のハードウェア構成の一例を示すブロック図
【図７】ＬＥＤ駆動回路６０２の電気回路構成を示す図
【図８】第２の実施形態の制御フローを示す図
【図９】ＬＥＤ電源制御回路６０１が出力するＬＥＤ電源電圧の時間推移
【発明を実施するための形態】
【０００９】
以下、添付の図面を参照して、本発明を実施する形態について説明する。
【００１０】
なお、以下の実施形態において示す構成は一例に過ぎず、本発明は図示された構成に限定されるものではない。
【００１１】
（第１の実施形態）
図１は、本実施形態の情報処理装置全体の概略図である。
【００１２】
情報処理装置１は、表示部１１と電源スイッチ１２とＬＡＮコネクタ１３から成る。なお本実施形態の情報処理装置１は、印刷機能を備える印刷装置や原稿読み取り機能を備える読み取り装置であってもよく、特定の種類の装置に限定されない。また情報処理装置１が印刷機能を備える印刷装置であれば、後述のＬＡＮコントローラ２０６によって印刷装置の外部のネットワークから受信された印刷データの画像を印刷するプリンターエンジンを備える。また情報処理装置１が原稿読み取り機能を備える読み取り装置であれば、原稿を読み取るスキャナーを備え、そのスキャナーで読み取られた原稿の画像をＬＡＮコントローラ２０６によって読み取り装置の外部のネットワークに送信する。
【００１３】
表示部１１は、情報処理装置１が持つグラフィックデータなどを表示する機能を持つ。その他に、タッチパネルやボタンなど、使用者が情報処理装置１で表示する表示物を選択する機能を持っても良い。
【００１４】
電源スイッチ１２は、情報処理装置１の電源供給状態を制御する。電源スイッチ１２が導通状態（オン状態）の時、情報処理装置１に電源が供給される。電源スイッチ１２が絶縁状態（オフ状態）の時、情報処理装置１は電源が供給されない。
【００１５】
ＬＡＮコネクタ１３は、ＬＡＮケーブル（通信ケーブル）を接続することで情報処理装置１の外部との通信に用いられる。また、ＬＡＮコネクタ１３は、ＬＡＮケーブル接続部１３１と、ＬＡＮケーブルを接続した際に現在の通信状態などを通知するための通知用ＬＥＤ１３２及び１３３を有する。ＬＡＮケーブルの一端はＬＡＮケーブル接続部１３１に接続され、他端は外部装置（例えばハブ）に接続される。情報処理装置１は後述のＬＡＮコントローラ２０６を有し、このＬＡＮコントローラ２０６は、ＬＡＮケーブルを介して外部装置との間でデータの送受信を行う。つまりＬＡＮケーブルはデータを２つの装置間で伝送する。
【００１６】
図２は情報処理装置１のハードウェア構成の一例を示すブロック図である。情報処理装置１は、表示部１１と電源スイッチ１２とＬＡＮコネクタ１３の他に、電源基板２０１と制御基板２０２から成る。
【００１７】
電源基板２０１は、外部電源（例えば、ＡＣ１００Ｖ）と、電源スイッチ１２、制御基板２０２と接続される。電源基板２０１は、電源スイッチ１２がオン状態になると、制御基板２０２の動作に必要な電源電圧（例えば、ＤＣ５Ｖ）と、表示部１１の動作に必要な電源電圧（例えば、ＤＣ２４Ｖ）を生成し、制御基板２０２に供給する。すなわち電源基板２０１は、制御基板２０２および表示部１１に異なる電圧の電力を供給する手段として機能する。なお、電源基板２０１は、異なる電圧の電力を所定の順番で各部に供給する。例えば、制御基板２０２にＤＣ５Ｖの電力の供給を開始した後に、表示部１１にＤＣ２４Ｖの電力の供給を開始する。
【００１８】
制御基板２０２は、ＬＡＮコネクタ１３を用いた外部機器との通信機能と、表示部１１に表示する画像データを生成し、表示部１１へ送信するとともに、表示部１１への電源供給を制御する機能を持つ。制御基板２０２は、制御基板ＣＰＵ２０３（以降、ＣＰＵ２０３と呼ぶ）と表示部電源電圧検知回路２０４、表示部電源制御回路２０５、ＬＡＮコントローラ２０６、ＣＰＵ用ＬＥＤ駆動回路２０７、ＬＡＮ用ＬＥＤ駆動回路２０８、ＬＡＮコネクタ１３から成る。
【００１９】
制御基板ＣＰＵ２０３は、情報処理装置１の全体を制御する中央演算ユニットである。制御基板ＣＰＵ２０３は、後述する表示部電源電圧検知回路２０４、表示部電源制御回路２０５、ＬＡＮコントローラ２０６、ＣＰＵ用ＬＥＤ駆動回路２０７、表示部ＣＰＵ２１３とＬＣＤ制御回路２１４と接続される。
【００２０】
表示部電源電圧検知回路２０４は、表示部１１の動作に必要な電源電圧が電源基板２０１から供給されているか検知し、検知結果を制御基板ＣＰＵ２０３に通知する回路である。
【００２１】
表示部電源制御回路２０５は、制御基板ＣＰＵ２０３から受信する信号を基に、電源基板２０１が生成した表示部１１に必要な電源を表示部１１に供給するか否かを制御する回路である。表示部電源制御回路２０５は、例えばＦＥＴなどを用いた回路で実装される。
【００２２】
ＬＡＮコントローラ２０６は、ＬＡＮコネクタ１３を介して外部機器とネットワーク通信を行う。また、ＬＡＮコントローラ２０６は、制御基板ＣＰＵ２０３から受信した制御信号によってネットワーク通信に必要な設定を行うとともに、ネットワーク通信結果を制御基板ＣＰＵ２０３と通信する。その他に、ＬＡＮコントローラ２０６は、ネットワーク通信の状態を後述するＬＡＮ用ＬＥＤ駆動回路２０８を用いてＬＥＤ１３２及び１３３に表示する。
【００２３】
ＣＰＵ用ＬＥＤ駆動回路２０７は、制御基板ＣＰＵ２０３から受信したＬＥＤ制御信号により、ＬＥＤ１３２及び１３３を点灯又は消灯させる回路である。
【００２４】
また、ＬＥＤ１３２及び１３３の点灯又は消灯を個別に制御するためＬＥＤ制御信号は、ＬＥＤ１３２用の制御信号及びＬＥＤ１３３用の制御信号の２本の信号で構成される。
【００２５】
そして、前述した制御信号は、制御基板２０２に電源が供給され、制御基板ＣＰＵ２０３がＣＰＵ用ＬＥＤ駆動回路２０７に制御信号を送らない間、ＬＥＤ１３２を点灯させ、ＬＥＤ１３３を消灯させるように構成される。具体的な構成例は、後述の図３にて説明する。
【００２６】
ＬＡＮ用ＬＥＤ駆動回路２０８は、ＬＡＮコントローラ２０６から受信したＬＥＤ１３２用の制御信号及びＬＥＤ１３３用の制御信号により、ＬＥＤ１３２及び１３３を点灯又は消灯させる。
【００２７】
表示部１１は、表示部基板２１１と液晶表示装置（Ｌｉｑｕｉｄ  Ｃｒｙｓｔａｌ  Ｄｉｓｐｌａｙ。以下、ＬＣＤ）２１２からなる。この表示部１１は、画像をＬＣＤ２１２で表示することで、異常箇所などの情報をユーザーやサービスマンに通知する手段として機能する。
【００２８】
表示部基板２１１は、制御基板２０２から供給された電源と、制御基板ＣＰＵ２０３から受信した画像データをＬＣＤ２１２が描画できる描画信号に変換し、ＬＣＤ２１２に送信する機能を持つ。表示部基板２１１は、表示部ＣＰＵ２１３とＬＣＤ制御回路２１４から成る。表示部ＣＰＵ２１３は、制御基板ＣＰＵ２０３から受信するコマンドに従って表示部ＣＰＵ２１３自身の設定と後述のＬＣＤ制御回路２１４の設定を行うとともに、表示部基板２１１の状態をコマンドとして制御基板ＣＰＵ２０３に送信する。ＬＣＤ制御回路２１４は、制御基板ＣＰＵ２０３から受信した画像データを、ＬＣＤ２１２が描画できる描画信号に変換する。表示部ＣＰＵ２１３は、ＬＣＤ制御回路２１４を制御して、ＬＣＤ２１２に画像を表示する。
【００２９】
ＬＣＤ２１２は、表示部基板２１１から受信した描画信号に従い、画像を表示する。
【００３０】
図３は、図２のＣＰＵ用ＬＥＤ駆動回路２０７及びＬＡＮ用ＬＥＤ駆動回路２０８を電気回路に実装した場合の模式図の一例である。
【００３１】
制御基板ＣＰＵ２０３がＬＥＤ１３２の発光（点灯および消灯）を制御するためのＬＥＤ制御信号は、ＣＰＵ用ＬＥＤ駆動回路２０７内のＰチャネルＦＥＴ３０１のゲート端子に接続（入力）される。
【００３２】
制御基板ＣＰＵ２０３がＬＥＤ１３３の発光（点灯および消灯）を制御するためのＬＥＤ制御信号は、ＣＰＵ用ＬＥＤ駆動回路２０７内のＰチャネルＦＥＴ３０３のゲート端子に接続（入力）される。
【００３３】
ＬＡＮコントローラ２０６がＬＥＤ１３２の発光（点灯および消灯）を制御するためのＬＥＤ制御信号は、ＬＡＮ用ＬＥＤ駆動回路２０８内のＰチャネルＦＥＴ３０５のゲート端子に接続（入力）される。
【００３４】
ＬＡＮコントローラ２０６がＬＥＤ１３３の発光（点灯および消灯）を制御するためのＬＥＤ制御信号は、ＬＡＮ用ＬＥＤ駆動回路２０８内のＰチャネルＦＥＴ３０７のゲート端子に接続（入力）される。
【００３５】
ＰチャネルＦＥＴ３０１及び３０３、３０５、３０７は各々のゲート端子に接続された制御信号の電位がＧＮＤ電圧に近い状態（以後「Ｌｏｗレベル」と記載）の場合、ＬＥＤ１３２又は１３３に電流が流れ、ＬＥＤ１３２又は１３３が点灯する。
【００３６】
反対に、ＰチャネルＦＥＴ３０１及び３０３、３０５、３０７は各々のゲート端子に接続された制御信号の電位が電源電圧に近い状態（以後「Ｈｉレベル」と記載）の場合、ＬＥＤ１３２又は１３３には電流が流れず、ＬＥＤ１３２又は１３３は消灯する。
【００３７】
抵抗（抵抗器）３０２及び３０４、３０６、３０８は、ＬＥＤ１３２又は１３３に流す電流量を制限するために用いられる。
【００３８】
抵抗３０２及び３０４、３０６、３０８の抵抗値は、ＬＥＤ１３２及び１３３の発光時に必要な明るさから電流値を決め、それを満たすように決定する。制御基板ＣＰＵ２０３が点灯制御する際、ＬＥＤ１３２及び１３３を明るくし、使用者がＬＥＤ１３２及び１３３の点灯状態の視認性を高くすることが望ましい。その一方で、ＬＡＮコントローラ２０６が点灯制御する際、ＬＥＤ１３２及び１３３の電流値を小さくし、表示装置１の全体の消費電力を小さくすることが望ましい。つまり、ＬＡＮコントローラ２０６が点灯制御する際、ＬＥＤ１３２及び１３３は暗くすることが望ましい。そこで、制御基板ＣＰＵ２０３が点灯制御する場合の方が、ＬＡＮコントローラ２０６が点灯制御する場合よりも、ＬＥＤ１３２及び１３３に流れる電流値が大きくなるようにする。これを実現するため、本実施形態では、抵抗３０２及び３０４を抵抗３０６及び３０８よりも小さい値にする。これが本実施形態の特徴の一つである。このように抵抗値を決めることで、ＬＡＮコントローラ２０６が通信状況に応じてＬＥＤ１３２、１３３を点灯させるときよりも制御基板ＣＰＵ２０３が情報処理装置１の起動状況に応じて点灯させるときの方がＬＥＤ１３２、１３３の明るさが明るくなる。
【００３９】
また、ＬＥＤ１３２とＬＥＤ１３３は発光色の異なる半導体であり、同じ値の電流が流れた場合の明るさも、ＬＥＤにかかる順方向電圧も異なる。そのため、同程度の明るさでＬＥＤ１３２及び１３３を発光させるために、抵抗３０２及び３０６と、抵抗３０２及び３０８とで、異なる抵抗値を決定する必要がある。例えば、抵抗３０２及び３０４、３０６、３０８の抵抗値をそれぞれ３６０Ω、３００Ω、１．３ｋΩ、１．１ｋΩとする。その場合、ＬＥＤ１３２は、制御基板ＣＰＵ２０３が点灯制御する際は約３．５ｍＡ程度の電流を流し、ＬＡＮコントローラ２０６が点灯制御する際は約１．１ｍＡ程度の電流を流して発光する。一方、ＬＥＤ１３３は、制御基板ＣＰＵ２０３が点灯制御する際は約３．９ｍＡ程度の電流を流し、ＬＡＮコントローラ２０６が点灯制御する際は約１．２ｍＡ程度の電流を流して発光する。このように抵抗３０２及び３０４、３０６、３０８の抵抗値を異なる値にすることで、ＬＥＤ１３２及び１３３の明るさを適切に制御できる。
【００４０】
なお、本実施形態ではＬＥＤ１３２及び１３３の点灯制御のためにＰチャネルＦＥＴをスイッチとして使用しているが、トランジスタや半導体ＩＣなどを１つ又は複数用いてスイッチを構成しても良い。また、本実施形態では抵抗３０２及び３０４、３０６、３０８によってＬＥＤ１３２又は１３３に流れる電流値を制限しているが、半導体などで構成された電流制限回路を用いても良い。また、本実施形態ではＣＰＵ用ＬＥＤ駆動回路２０７およびＬＡＮ用ＬＥＤ駆動回路２０８はＬＥＤ１３２、１３３の上流側に設けられているが、下流側に設ける構成であってもよい。
【００４１】
ＬＥＤ１３２はＣＰＵ用ＬＥＤ駆動回路２０７とＬＥＤ駆動回路２０８の両方に接続されているためいずれか一方が点灯制御を行うとＬＥＤ１３２は点灯する。また、ＣＰＵ用ＬＥＤ駆動回路２０７とＬＥＤ駆動回路２０８の両方が消灯制御をした場合にＬＥＤ１３２は消灯する。
【００４２】
同様にＬＥＤ１３３もＣＰＵ用ＬＥＤ駆動回路２０７とＬＥＤ駆動回路２０８の両方に接続されているためいずれか一方が点灯制御を行うとＬＥＤ１３３は点灯する。またＣＰＵ用ＬＥＤ駆動回路２０７とＬＥＤ駆動回路２０８の両方が消灯制御をした場合にＬＥＤ１３３は消灯する。
【００４３】
また、制御基板ＣＰＵ２０３からＣＰＵ用ＬＥＤ駆動回路２０７への２本の制御信号において、電源投入時の信号の初期状態を規定するための抵抗３０９をＧＮＤに、抵抗３１０、３１１、３１２をそれぞれ電源に接続する。すなわち抵抗３０９はプルダウン抵抗であり、抵抗３１０、３１１、３１２はプルアップ抵抗である。
【００４４】
制御基板２０２に電源が供給され、制御基板ＣＰＵ２０３とＬＡＮコントローラ２０６が共にＣＰＵ用ＬＥＤ駆動回路２０７、２０８に制御信号を送らない場合、制御基板ＣＰＵ２０３及びＬＡＮコントローラ２０６の端子がハイインピーダンス状態になる。これにより、ＦＥＴ３０１のゲート端子が抵抗３０９によりＬｏｗレベルになりＦＥＴ３０１がオンするためＬＥＤ１３２は点灯する。
【００４５】
また、制御基板２０２に電源が供給され、制御基板ＣＰＵ２０３とＬＡＮコントローラ２０６が共にＣＰＵ用ＬＥＤ駆動回路２０７、２０８に制御信号を送らない場合、制御基板ＣＰＵ２０３及びＬＡＮコントローラ２０６の端子がハイインピーダンス状態になる。ＦＥＴ３０３のゲート端子は抵抗３１０によりＨｉレベルになりＦＥＴ３０３はオフ状態、ＦＥＴ３０７のゲート端子は抵抗３１１によりＨｉレベルになりＦＥＴ３０７もオフ状態のためＬＥＤ１３３は消灯する。
【００４６】
なお、本実施形態では制御基板ＣＰＵ２０３とＣＰＵ用ＬＥＤ駆動回路２０７の間に抵抗３０９及び３１０を実装しているが、ＣＰＵ用ＬＥＤ駆動回路２０７内に実装しても良い。また、制御基板ＣＰＵ２０３内に制御基板ＣＰＵ２０３のポート制御に依存せずに存在する内部抵抗として実装しても良い。
【００４７】
同様に、抵抗３１１及び３１２を、ＬＡＮ用ＬＥＤ駆動回路２０８内に実装しても良く、あるいは、ＬＡＮコントローラ２０６内にＬＡＮコントローラ２０６のポート制御に依存せずに存在する内部抵抗として実装しても良い。
【００４８】
図４は、情報処理装置１の起動シーケンスを表すフローチャートである。この起動シーケンスにおいて、制御基板２００内の制御基板ＣＰＵ２０３はプログラムを実行する。本実施形態においてこのプログラムは、リセット状態が解除された後の制御基板ＣＰＵ２０３が最初に実行するブートプログラムを含む。このブートプログラムは制御基板ＣＰＵ２０３に情報処理装置１を起動するための一連の処理を実行させる。すなわち、このブートプログラムは、制御基板ＣＰＵ２０３が備える複数の入出力ポートが使えるようにする設定を行う。また、このブートプログラムは、表示部ＣＰＵ２１３を起動させて表示部ＣＰＵ２１３がＬＣＤ２１２に画像や文字等の情報を表示できるようにする。さらにこのブートプログラムは、ＬＡＮコントローラ２０６が外部装置と通信でき、かつ、ＬＥＤ１３２、１３３の点灯および消灯を制御できるように、ＬＡＮコントローラ２０６を設定する。
【００４９】
本実施形態の特徴の一つとして、このブートプログラムが、表示部ＣＰＵ２１３が起動して表示部１１が情報を表示できるようになるまで、ブートプログラムの実行状況（一連の処理の進捗状況）に応じてＬＥＤ１３２、１３３を点灯および消灯する。ブートプログラムの実行状況は情報処理装置１の起動状況（起動処理の進捗状況）に含まれる。
【００５０】
制御基板ＣＰＵ２０３は、このようなブートプログラムにしたがって、図４のフローチャートに示される各処理を行う。
【００５１】
電源スイッチ１２がオンされる（Ｓ１０１）と、電源基板２０１が制御基板２０２に対して電源（本実施形態では５Ｖと２４Ｖの電力）の供給を行う（Ｓ１０２）。
【００５２】
電源スイッチ１２をオンする前のＬＥＤ１３２、ＬＥＤ１３３は共に消灯状態である（図５  ＬＥＤ点灯パターンＡ）。
【００５３】
電源（電力）が供給されている制御基板ＣＰＵ２０３は、不図示の不揮発性メモリからブートプログラムを読み込んで起動を開始（Ｓ１０３）する。この時点ではブートプログラムはまだ実行されておらず、ＬＥＤ１３２は上述の通り制御基板ＣＰＵ２０３の制御なく点灯する。すなわちＬＥＤの点灯パターンは図５のＬＥＤ点灯パターンＢになる。
【００５４】
電源スイッチ１２をオンしたにも関わらず、表示部１１の表示がされず、ＬＡＮコネクタ１３のＬＥＤ１３２、ＬＥＤ１３３が共に「消灯状態」である場合は、情報処理装置１が次のような状態であると考えられる。制御基板２０２への電源が供給されていない状態である。したがって、ＬＥＤ１３２、１３３が共に消灯したまま装置が停止しているのであれば、異常箇所が電源部（電源スイッチ１２、電源基板２０１、及び電源用の束線）であることが判別できる。
【００５５】
制御基板２０２に電源が供給されるとＬＡＮコントローラ２０６にも電源が供給され、ＬＡＮコントローラ２０６が起動する（Ｓ３０１）。ただし、ＬＡＮコントローラ２０６は、制御基板ＣＰＵ２０３によってＬＡＮコントローラ２０６内部のレジスタ設定が行われるまでは初期状態のまま待機状態になり、ＬＥＤの制御やネットワーク通信を行うことは無い。すなわち、ＬＡＮコントローラ２０６は、ＬＡＮコントローラ２０６がＬＥＤを制御できるように制御基板ＣＰＵ２０３によって設定されてから、ＬＥＤ１３２、１３３を制御するようになる。またＬＡＮコントローラ２０６は、ＬＡＮコントローラ２０６が外部装置と通信できるように制御基板ＣＰＵ２０３によって設定されてから、外部装置と通信できるようになる。
【００５６】
ＬＡＮコントローラ２０６の起動直後では、ＬＡＮ用ＬＥＤ駆動回路２０８に接続されるＬＡＮコントローラ２０６のＬＥＤ制御信号の端子はハイインピーダンス状態になる。
【００５７】
制御基板ＣＰＵ２０３のブートプログラムの読み込みが完了すると、制御基板ＣＰＵ２０３は読み出したブートプログラムを実行する。制御基板ＣＰＵ２０３は、制御基板ＣＰＵ２０３が複数備える外部入出力ポート（Ｉ／Ｏポート）の設定処理を行う（Ｓ１０４−Ｙｅｓ）。この入出力ポートは、制御基板ＣＰＵ２０３が周辺デバイスと通信するために用いられる。周辺デバイスとは、例えば、表示部電源電圧検知回路２０４、表示部電源制御回路２０５、ＬＡＮコントローラ２０６、ＣＰＵ用ＬＥＤ駆動回路２０７、表示部ＣＰＵ２１３、ＬＣＤ制御回路２１４等である。この設定は、各入出力ポートに対して、入力ポートとして用いるのか出力ポートとして用いるのかを設定する。例えば制御基板ＣＰＵ２０３は、ＬＥＤ１３２の点灯および消灯を制御するためのＬＥＤ制御信号の信号線が接続された入出力ポートを出力ポートに設定する。また、制御基板ＣＰＵ２０３は、ＬＥＤ１３３のＬＥＤ制御信号の信号線が接続された入出力ポートを出力ポートに設定する。さらに、制御基板ＣＰＵ２０３は、ＬＡＮコントローラ２０６のリセットおよびリセット解除を制御するためのリセット制御信号の信号線が接続された入出力ポートを出力ポートに設定する。そして制御基板ＣＰＵ２０３は、この出力ポートから出力するリセット制御信号の出力レベルを制御して、ＬＡＮコントローラ２０６をリセット状態にする。また、制御基板ＣＰＵ２０３は、ＬＡＮコントローラ２０６への通信制御信号の設定も行う。
【００５８】
そして、この設定後、制御基板ＣＰＵ２０３は、ＬＥＤ制御信号の出力レベルを制御してＬＥＤの点灯パターンを図５のＬＥＤ点灯パターンＢからＬＥＤ点灯パターンＣに変更する。本実施形態ではＬＥＤ１３２を消灯させるためＬＥＤ１３２のＬＥＤ制御信号を“Ｈｉレベル”、ＬＥＤ１３３を点灯させるためＬＥＤ１３３のＬＥＤ制御信号を“Ｌｏｗレベル”に制御する（Ｓ１０５）。
【００５９】
何らかの理由（例えばプログラムの読み出し異常等）で制御基板ＣＰＵ２０３が入出力ポートの設定までの起動処理を実行できない場合（Ｓ１０４−Ｎｏ）、装置はその状態で停止する（Ｓ１０６）。すなわち、ＬＥＤの点灯パターンは、図５のＬＥＤ点灯パターンＢのままである。電源スイッチ１２をオンしたにも関わらず、表示部１１の表示がされず、ＬＡＮコネクタ１３のＬＥＤ１３２が「点灯状態」、ＬＥＤ１３３が「消灯状態」である場合（点灯パターンＢのままである場合）は、情報処理装置１が次のような状態であると考えられる。制御基板２０２への電源供給はされているが、制御基板２０２上の異常（制御基板ＣＰＵ２０３故障、基板素子故障、基板配線異常等）により制御基板ＣＰＵ２０３が起動できない状態である。したがって、点灯パターンＢのまま装置が停止しているのであれば、異常箇所が制御基板２０２であることが判別できる。
【００６０】
続いて、制御基板ＣＰＵ２０３は表示部１１に供給する電源電圧（実施形態の場合は２４Ｖ）が正常か否かを表示部電源電圧検知回路２０４からの信号レベルを確認することで判断する（Ｓ１０７）。
【００６１】
表示部１１に供給する電源電圧が正常であると判断した場合（Ｓ１０７−Ｙｅｓ）、制御基板ＣＰＵ２０３は、ＬＥＤ制御信号の出力レベルを制御してＬＥＤの点灯パターンを図５のＬＥＤ点灯パターンＣからＬＥＤ点灯パターンＤに変更する（Ｓ１０８）。本実施形態では、制御基板ＣＰＵ２０３は、ＬＥＤ１３２を消灯させるためＬＥＤ１３２のＬＥＤ制御信号を“Ｈｉレベル”に制御する。そして制御基板ＣＰＵ２０３は、ＬＥＤ１３３を点滅させるためＬＥＤ１３３のＬＥＤ制御信号の“Ｈｉレベル”“Ｌｏｗレベル”を１秒おきに繰り返し切り替える制御を行う。
【００６２】
一方、表示部１１に供給する電源電圧に異常があると判断した場合（Ｓ１０７−Ｎｏ）、制御基板ＣＰＵ２０３は装置の起動処理を停止する（Ｓ１０９）。すなわち、ＬＥＤの点灯パターンは、図５のＬＥＤ点灯パターンＣのままである。電源スイッチ１２をオンしたにも関わらず、表示部１１の表示がされず、ＬＡＮコネクタ１３のＬＥＤ１３２が「消灯状態」、ＬＥＤ１３３が「点灯状態」である場合は、情報処理装置１が次のような状態であると考えられる。制御基板２０２への制御基板用の電源（制御基板ＣＰＵ２０３、ＬＡＮコントローラ、ＬＡＮコネクタ１３用）は正しく供給されているが、表示部１１に供給する電源に異常がある状態である。したがって、点灯パターンＣのまま装置が停止しているのであれば、異常箇所が表示部１１用の電源供給部（電源基板２０１、及び電源用の束線）であることが判別できる。
【００６３】
表示部１１に供給する電源に異常がないことを確認した後、制御基板ＣＰＵ２０３は表示部電源制御回路２０５に対し表示部１１に電源供給する制御信号を出力する（Ｓ１１０）。電源が表示部１１に供給されると表示部ＣＰＵ２１３が起動開始する（Ｓ２０１）。このように制御基板ＣＰＵ２０３は、表示部ＣＰＵ２１３を起動させる。
【００６４】
制御基板ＣＰＵ２０３は、表示部ＣＰＵ２１３が起動完了するのに十分な時間（本実施形態では２００ｍｓ）待ってから（Ｓ１１１）、表示部ＣＰＵ２１３に対し起動確認コマンドを送信する（Ｓ１１２）。
【００６５】
初期化コマンドを受信した表示部ＣＰＵ２１３は、表示部ＣＰＵ２１３の起動処理が正しく完了していれば（Ｓ２０２−Ｙｅｓ）、起動確認コマンドのレスポンスを制御基板ＣＰＵ２０３に対して送信する（Ｓ２０３）。起動確認コマンドのレスポンスは、表示部ＣＰＵ２１３の起動が完了したことを示す信号に相当する。
【００６６】
表示部内の電源異常、表示部ＣＰＵ２１３の故障等が原因で表示部ＣＰＵ２１３が正常に起動できない場合は起動確認コマンドのレスポンスは送信されず表示部１１の起動は停止する（Ｓ２０２−Ｎｏ）。
【００６７】
制御基板ＣＰＵ２０３は、表示部ＣＰＵ２１３に起動確認コマンドを送信した後所定時間内（本実施形態の場合は１０ｍｓ以内）に表示部ＣＰＵ２１３からの起動確認コマンドのレスポンスを受け取ったか否かを判断する。
【００６８】
所定時間内に表示部ＣＰＵ２１３からの起動確認コマンドのレスポンスがあった場合（Ｓ１１３−Ｙｅｓ）は、制御基板ＣＰＵ２０３は、ＬＥＤ制御信号の出力レベルを制御してＬＥＤ１３２、ＬＥＤ１３３を消灯状態にする。すなわち制御基板ＣＰＵ２０３は、ＬＥＤ１３２を消灯させるためＬＥＤ１３２のＬＥＤ制御信号を“Ｈｉレベル”、ＬＥＤ１３３を消灯させるためＬＥＤ１３３のＬＥＤ制御信号を“Ｈｉレベル”に制御する（Ｓ１１４）。
【００６９】
起動確認コマンドのレスポンスを受信しないまま所定時間が経過した場合（Ｓ１１３−Ｎｏ）、装置はその状態で停止する（Ｓ１１５）。すなわち、ＬＥＤの点灯パターンは、図５のＬＥＤ点灯パターンＤのままである。電源スイッチ１２をオンしたにも関わらず、表示部１１の表示がされず、ＬＡＮコネクタ１３のＬＥＤ１３２が「消灯状態」、ＬＥＤ１３３が「点滅状態」である場合、情報処理装置１が次のような状態であると考えられる。制御基板ＣＰＵ２０３は正常に動作しており、表示部用電源は供給されているが、表示部１１が動作しない状態である。したがって、点灯パターンＤのまま装置が停止しているのであれば、異常箇所が制御基板２０２、表示部１１間の伝送部か表示部１１内の異常であることが判別できる。
【００７０】
制御基板ＣＰＵ２０３は、表示部１１のＬＣＤ制御回路２１４に対し画像データを送信し（Ｓ１１６）、画像データを受信したＬＣＤ制御回路２１４は受信した画像データに応じてＬＣＤ２１２に画面を表示させる（Ｓ２０５）。
【００７１】
以降、装置の異常を検出した場合にはＬＥＤ１３２、ＬＥＤ１３３を用いた異常表示はせず表示部１１のＬＣＤ２１２を用いて異常箇所を示す情報を表示する。
【００７２】
制御基板ＣＰＵ２０３はＬＡＮコントローラ２０６のリセット制御信号を制御し、リセット制御信号をリセット解除状態にする。そして、制御基板ＣＰＵ２０３は、ＬＡＮコントローラ２０６への通信線を介してＬＡＮコントローラ２０６内部のＬＡＮコントローラ２０６の動作モード等を決定するレジスタ設定値の書き換えを行う。制御基板ＣＰＵ２０３はＬＡＮコントローラ２０６への通信線を介し、外部のネットワーク通信を開始するための設定を行う（Ｓ１１７）。制御基板ＣＰＵ２０３によって外部装置との通信ができるように設定されたＬＡＮコントローラ２０６は、ＬＡＮコネクタ１３を介し外部のネットワークと通信を開始する（Ｓ３０２）。
【００７３】
続けて、制御基板ＣＰＵ２０３は通信線を介してＬＡＮコントローラ２０６のＬＥＤ制御用の設定を行う（Ｓ１１８）。制御基板ＣＰＵ２０３によってＬＥＤ１３２、１３３の点灯および消灯を制御できるように設定されたＬＡＮコントローラ２０６は、ＬＥＤ１３２、ＬＥＤ１３３の点灯制御をネットワークの通信状況（動作状況）に応じて行う（Ｓ３０３）。ＬＡＮコントローラ２０６によるＬＥＤ１３２、１３３の点灯制御は、ＬＡＮコントローラ２０６がＬＥＤ制御信号をＬＡＮ用ＬＥＤ駆動回路２０８に出力することで行われる。
【００７４】
以降、ＬＥＤ１３２及びＬＥＤ１３３は、ＬＡＮコントローラ２０６がネットワークの通信状況に応じて点灯および消灯が制御され、制御基板ＣＰＵ２０３が点灯および消灯の制御を行うことはない。
【００７５】
本構成では上述の通り異常表示にＬＡＮコネクタ１３のＬＥＤを用いている。
【００７６】
そのため、異常表示専用のＬＥＤを設ける必要がなくコストＵＰを抑えて機能を実現している。
【００７７】
ＬＡＮコネクタ１３のＬＥＤの本来の役割であるネットワーク通信状況の通知は、電源スイッチ１２のオンから表示部１１の表示開始までの間はできないが、装置の起動時に表示部１１が表示可能になってからは可能である。
【００７８】
上述のような制御、構成をとることでコストＵＰを抑え、実使用上の機能に制限をかけることなく、電源スイッチ１２をオンしてから表示部１１表示が行われるまでの間に異常が発生した場合であっても異常箇所を使用者に対し示すことが可能になる。したがって、正しい復帰処理を促すことが可能となる。
【００７９】
（第２の実施形態）
図３においてＬＥＤ１３２及び１３３に流れる電流値を抵抗３０２及び３０４、３０６、３０８で制御していた。本実施形態では、ＬＥＤ１３２及び１３３の駆動回路の電源電圧の大きさを切り替えることで、ＬＥＤ１３２及び１３３に流れる電流値を、制御基板ＣＰＵ２０３が点灯制御する場合の方が、ＬＡＮコントローラ２０６が点灯制御する場合よりも大きくなるようにする。具体的には、制御基板ＣＰＵ２０３が点灯制御する場合の方が、ＬＡＮコントローラ２０６が点灯制御する場合よりも、ＬＥＤ１３２及び１３３の駆動回路の電源電圧を大きくする。このような方法によっても、ＬＡＮコントローラ２０６が通信状況に応じてＬＥＤを点灯するときよりも、制御基板ＣＰＵ２０３が情報処理装置１の起動状況に応じて点灯するときの方がＬＥＤの明るさを明るくすることができる。
【００８０】
図６は、本実施形態における表示装置１のハードウェア構成の一例を示すブロック図である。
【００８１】
制御基板６００は、制御基板２００と同じく、ＬＡＮコネクタ１３を用いた外部機器との通信機能と、表示部１１に表示する画像データを生成し、表示部１１へ送信するとともに、表示部１１への電源供給を制御する機能を持つ。制御基板６００には、制御基板２００と同じく、制御基板ＣＰＵ２０３と表示部電源電圧検知回路２０４、表示部電源制御回路２０５、ＬＡＮコントローラ２０６、ＬＡＮコネクタ１３が含まれる。しかしながら、制御基板６００には、ＣＰＵ用ＬＥＤ駆動回路２０７、ＬＡＮ用ＬＥＤ駆動回路２０８が無く、代わりにＬＥＤ電源制御回路６０１とＬＥＤ駆動回路６０２が含まれる。
【００８２】
ＬＥＤ電源制御回路６０１は、制御基板ＣＰＵ２０３から受信する信号７１２を基に、ＬＥＤ駆動回路６０２へ供給する電源電圧を変化させる（切り替える）。ＬＥＤ電源制御回路６０１は、制御基板６００に電源が供給されると、制御基板ＣＰＵ２０３がＬＥＤ１３２及び１３３を点灯制御する際に必要な電源電圧（例えば３．３Ｖ）を供給する。その後、制御基板ＣＰＵ２０３より制御信号７１２を受信すると、ＬＡＮコントローラ２０６がＬＥＤ１３２及び１３３を点灯制御する際に必要な電源電圧（例えば２．５Ｖ）を供給する。このＬＥＤ電源制御回路は、ＬＥＤ駆動回路６０２に供給する電圧の電圧値を制御する電圧制御手段として機能する。
【００８３】
ＬＥＤ駆動回路６０２は、制御基板ＣＰＵ２０３又はＬＡＮコントローラ２０６から入力されたＬＥＤ１３２及び１３３のＬＥＤ制御信号により、ＬＥＤ１３２及び１３３を点灯又は消灯させる回路である。
【００８４】
図７は、図６のＬＥＤ駆動回路６０２とその周辺回路を電気回路に実装した場合の模式図の一例である。
【００８５】
制御基板ＣＰＵ２０３がＬＥＤ１３２の発光（点灯および消灯）を制御するためのＬＥＤ制御信号は、ＡＮＤ回路７０１の１つの入力端子に接続（入力）される。
【００８６】
制御基板ＣＰＵ２０３がＬＥＤ１３３の発光（点灯および消灯）を制御するためのＬＥＤ制御信号は、ＡＮＤ回路７０４の１つの入力端子に接続（入力）される。
【００８７】
ＬＡＮコントローラ２０６がＬＥＤ１３２の発光（点灯および消灯）を制御するためのＬＥＤ制御信号は、ＡＮＤ回路７０１の他方の入力端子に接続（入力）される。
【００８８】
ＬＡＮコントローラ２０６がＬＥＤ１３３の発光（点灯および消灯）を制御するためのＬＥＤ制御信号は、ＡＮＤ回路７０４の他方の入力端子に接続（入力）される。
【００８９】
ＡＮＤ回路７０１および７０４は、それぞれ、２つの入力端子と１つの出力端子を有する。上述の通り、２つの入力端子は、それぞれ、制御基板ＣＰＵ２０３およびＬＡＮコントローラ２０６に接続されている。また、ＡＮＤ回路７０１および７０４の出力端子は、ＰチャネルＦＥＴ７０２および７０５にそれぞれ接続される。したがって、制御基板ＣＰＵ２０３及びＬＡＮコントローラ２０６から入力された制御信号のどちらもＨｉレベルの時、ＰチャネルＦＥＴ７０２又は７０５のゲート端子はＨｉレベルとなる。ＰチャネルＦＥＴ７０２又は７０５のゲート端子がＨｉレベルの場合、ＬＥＤ１３２又は１３３へ電流を流さず、ＬＥＤ１３２又は１３３は消灯する。しかし、制御基板ＣＰＵ２０３及びＬＡＮコントローラ２０６から入力された制御信号の少なくともどちらか１つがＬｏｗレベルの時、ＰチャネルＦＥＴ７０２又は７０５のゲート端子はＬｏｗレベルとなる。ＰチャネルＦＥＴ７０２又は７０５のゲート端子がＬｏｗレベルの場合、ＬＥＤ１３２又は１３３へ電流を流し、ＬＥＤ１３２又は１３３は点灯する。抵抗７０３及び７０６は、ＬＥＤ１３２又は１３３に流す電流量を制限するために用いられる。この抵抗７０３及び７０６の抵抗値は、それぞれ、３６０Ω及び３３０Ωである。なお本実施形態はＬＥＤ１３２、１３３の電源電圧の大きさを切り替えることでＬＥＤ１３２、１３３に流す電流量を制御するようにするが、電源電圧の大きさの切り替えに加えて抵抗７０３、７０６の抵抗値の大きさを適切な値に調整してもよい。また、本実施形態ではＬＥＤ電源制御回路６０１およびＬＥＤ駆動回路６０２はＬＥＤ１３２、１３３の上流側に設けられているが、ＬＥＤ電源制御回路６０１をＬＥＤ１３２、１３３の上流側に設け、かつ、ＬＥＤ駆動回路６０２を下流側に設けてもよい。ＬＥＤ駆動回路６０２の電源は、ＬＥＤ電源制御回路６０１から供給される。ＬＥＤ電源制御回路６０１は、ＬＥＤ駆動回路６０２と制御基板ＣＰＵ２０３と接続される。
【００９０】
また、ＬＥＤ電源制御回路６０１と制御基板ＣＰＵ２０３を接続する信号線７１２は、電源投入時の初期状態がＨｉレベルとなるよう抵抗７０７が接続される。ＬＥＤ電源制御回路６０１は、制御基板６００に電源が供給されると動作を開始し、制御基板ＣＰＵ２０３から入力される制御信号７１２がＨｉレベルの間は、高い電圧（例えば、３．３Ｖ）をＬＥＤ駆動回路６０２に供給する。その結果、例えば、ＬＥＤ１３２及び１３３は約３．５ｍＡの電流を流す。
【００９１】
制御基板ＣＰＵ２０３からＬＥＤ電源制御回路６０１へ入力される信号７１２がＬｏｗレベルに変化すると、ＬＥＤ電源制御回路６０１は低い電圧（例えば、２．５Ｖ）をＬＥＤ駆動回路６０２に供給する。その結果、例えば、ＬＥＤ１３２及び１３３は約１．７ｍＡの電流を流す。
【００９２】
制御基板ＣＰＵ２０３は、制御基板ＣＰＵ２０３がＬＥＤ１３２及び１３３の点灯を制御する間、ＬＥＤ電源制御回路６０１へＨｉレベルの信号７１２を出力する。反対に、ＬＡＮコントローラ２０６がＬＥＤ１３２及び１３３の点灯を制御する間、ＬＥＤ電源制御回路６０１へＬｏｗレベルの信号７１２を出力する。従って、制御基板ＣＰＵ２０３がＬＥＤ１３２及び１３３の点灯を制御する間は、ＬＡＮコントローラ２０６がＬＥＤ１３２及び１３３の点灯を制御する間よりも、ＬＥＤ１３２及び１３３に流れる電流値が大きいのでＬＥＤ１３２及び１３３は明るい。
【００９３】
その他に、制御基板ＣＰＵ２０３及びＬＡＮコントローラ２０６からＬＥＤ駆動回路６０２へ接続された計４本の信号について、電源投入時の信号の初期状態を規定するための抵抗７０８をＧＮＤに、７０９、７１０、７１１をそれぞれ電源に接続する。抵抗７０８及び７０９、７１０、７１１により、電源投入時はＬＥＤ１３２は点灯し、ＬＥＤ１３３は消灯した状態となる。
【００９４】
なお、本実施形態では制御基板ＣＰＵ２０３とＬＥＤ駆動回路６０２の間に抵抗７０８及び７０９を実装しているが、ＬＥＤ駆動回路６０２内に実装しても良い。あるいは、抵抗７０８及び７０９を、制御基板ＣＰＵ２０３内に制御基板ＣＰＵ２０３のポート制御に依存せずに存在する内部抵抗として実装しても良い。
【００９５】
同様に、抵抗７１０及び７１１を、ＬＥＤ駆動回路６０２内に実装しても良く、あるいは、ＬＡＮコントローラ２０６内にＬＡＮコントローラ２０６のポート制御に依存せずに存在する内部抵抗として実装しても良い。
【００９６】
図８は、情報処理装置１の起動シーケンスを表すフローチャートである。この起動シーケンスにおいて、制御基板６００内の制御基板ＣＰＵ２０３はプログラムを実行する。本実施形態においてこのプログラムは、リセット状態が解除された後の制御基板ＣＰＵ２０３が最初に実行するブートプログラムを含む。制御基板ＣＰＵ２０３は、ブートプログラムにしたがって、図８のフローチャートに示される各処理を行う。
【００９７】
制御基板ＣＰＵ２０３のフローチャートの内、Ｓ１０１からＳ１１６までのフローは、本実施形態のフローチャート（Ｓ４０１〜４１６）と同様である。ただし、Ｓ４０４において制御基板ＣＰＵ２０３は、信号７１２が接続される入出力ポートの設定処理も行う。
【００９８】
Ｓ４１６において表示部１１での表示が開始された後、制御基板ＣＰＵ２０３は、ＬＥＤ電源制御回路６０１へ出力される制御信号７１２をＬｏｗレベルに変更する（Ｓ４１７）。
【００９９】
その後、制御基板ＣＰＵ２０３は、Ｓ１１７と同様にＬＡＮコントローラの通信設定を行う（Ｓ４１８）。続けて、制御基板ＣＰＵ２０３は、Ｓ１１８と同様に制御基板ＣＰＵ２０３は制御線を介してＬＡＮコントローラ２０６のＬＥＤ制御設定を行う（Ｓ４１９）。ＬＥＤ制御設定を行ったＬＡＮコントローラ２０６は、ＬＡＮ用ＬＥＤ駆動回路２０８を制御し、ＬＥＤ１３２及びＬＥＤ１３３の点灯制御を通信状況に応じて行う。
【０１００】
なお、表示部ＣＰＵ２１３のフローチャート（Ｓ２０１〜Ｓ２０５）及びＬＡＮコントローラ２０６のフローチャート（Ｓ３０１〜Ｓ３０３）は第１の実施形態と同様のフローチャートで動作する。
【０１０１】
図９は、ＬＥＤ電源制御回路６０１が出力するＬＥＤ駆動回路６０２、ＬＡＮ用ＬＥＤ駆動回路６０３の動作に必要な電源電圧の時間変化を表す図である。
【０１０２】
Ｓ４０２において制御基板６００に電源が供給されると、ＬＥＤ電源制御回路６０１がＬＥＤ駆動回路６０２に供給するＬＥＤ電源電圧は、高い状態の電圧（例えば、３．３Ｖ）まで上昇する（Ｓ５０１）。
【０１０３】
ＬＥＤ電源電圧が高い状態の電圧まで上昇した後、Ｓ４０５からＳ４１４において制御基板ＣＰＵ２０３がＬＥＤ１３２及び１３３を制御する（Ｓ５０２）。
【０１０４】
Ｓ４１７において制御基板ＣＰＵ２０３からＬＥＤ電源制御回路へ出力される制御信号がＬｏｗレベルに変更されると、ＬＥＤ電源電圧は、低い状態の電圧（例えば、２．５Ｖ）まで下降する（Ｓ５０３）。
【０１０５】
ＬＥＤ電源電圧が低い状態の電圧まで下降した後、Ｓ４１９においてＬＡＮコントローラ２０６がＬＥＤ１３２及び１３３を制御する（Ｓ５０４）。
【０１０６】
なお、本実施形態において、ＬＥＤ電源電圧の上昇（Ｓ５０１）及び下降（Ｓ５０３）している間、ＬＥＤ１３２及び１３３は消灯している状態である。これを実現するために、制御基板ＣＰＵ２０３及びＬＡＮコントローラ２０６は、ＬＥＤ１３２及び１３３の点灯の制御が可能になってから、実際に制御を行うまでに待機時間を設けても良い。その他に、本実施形態には示されていないが、ＬＥＤ電源電圧を監視する機能を制御基板６００に追加し、ＬＥＤ電源電圧の監視結果に応じてＬＥＤ１３２及びＬＥＤ１３３の制御の可否を決定してもよい。
【０１０７】
（その他の実施形態）
上記実施形態においては、ブートプログラムの実行状況に応じてＬＥＤ１３２、１３３を点灯および消灯したが、情報処理装置１の起動時における装置内の複数電源の供給状況に応じてＬＥＤ１３２、１３３を点灯および消灯してもよい。上記実施形態において電源基板２０１は、制御基板２０２用のＤＣ５Ｖと、表示部１１用のＤＣ２４Ｖの異なる電圧の電力を生成する複数の電源を備える。この電源基板２０１は、情報処理装置１の起動時に所定の順番で（例えば電圧が低い順で）電圧の供給が開始されるように、複数電源で所定の順番で電圧生成を行う。これを電源の起動と呼ぶ。他の実施形態では、各電源が生成した電圧を監視し、その電圧の供給状況（つまり電源の起動状況）に応じてＬＥＤを点灯および消灯する回路を設けてもよい。
【０１０８】
これまで説明した各実施形態に共通する特徴は、ＬＥＤ１３２、１３３が、ＬＡＮコントローラ２０６によって通信状況に応じて点灯および消灯されることに加えて、情報処理装置１の起動状況に応じた点灯制御の対象となっていることである。
【０１０９】
上記実施形態においては、表示部１１が画像を表示することでユーザーやサービスマンに異常箇所などの情報を通知するが、このような情報を通知する手段としてはスピーカーであってもよい。例えばスピーカーによって異常箇所を音声で通知してもよい。
【０１１０】
本発明は、上述の各実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣやＦＰＧＡ）によっても実現可能である。
【図１】
2020159718.tif 000003
【図２】
2020159718.tif 000004
【図３】
2020159718.tif 000005
【図４】
2020159718.tif 000006
【図５】
2020159718.tif 000007
【図６】
2020159718.tif 000008
【図７】
2020159718.tif 000009
【図８】
2020159718.tif 000010
【図９】
2020159718.tif 000011